(57)【要約】      （修正有）【課題】輝度ムラの発生を抑制する照明装置及び表示装置を提供する。【解決手段】バックライト装置は、ＬＥＤ１３と、ＬＥＤ１３から発せられた光の少なくとも一部を透過する反射板と、を備える。反射板は、板面にＬＥＤ１３と重畳するＬＥＤ重畳領域２５とその周りに配されるＬＥＤ周辺領域２６とからなる単位ＬＥＤ領域２４と、単位ＬＥＤ領域２４においてＬＥＤ周辺領域２６よりもＬＥＤ重畳領域２５の方が面積比率が高くなるよう設けられる光反射部２２と、単位ＬＥＤ領域２４においてＬＥＤ重畳領域２５よりもＬＥＤ周辺領域２６の方が面積比率が高くなるよう設けられる光透過部２３と、を有している。光反射部２２及び光透過部２３は、単位ＬＥＤ領域２４を平面充填するよう並ぶ複数の単位領域に区分したとき、単位ＬＥＤ領域２４における分布が非点対称状となるよう複数の単位領域に割り当てられる。【選択図】図３
2019129065.tif 000002
【特許請求の範囲】
【請求項１】
光源と、
前記光源から発せられた光の少なくとも一部を透過する反射板と、を備える照明装置であって、
前記反射板は、
前記光源と間隔を空けて配されてその板面に前記光源と重畳する光源重畳領域と前記光源重畳領域の周りに配される光源周辺領域とからなる単位光源領域と、
前記単位光源領域において前記光源周辺領域よりも前記光源重畳領域の方が面積比率が高くなるよう設けられて光を反射する光反射部と、
前記単位光源領域において前記光源重畳領域よりも前記光源周辺領域の方が面積比率が高くなるよう設けられて光を透過する光透過部と、を有しており、
前記光反射部及び前記光透過部は、前記単位光源領域を平面充填するよう並ぶ複数の単位領域に区分したとき、前記単位光源領域における分布が非点対称状となるよう複数の前記単位領域に割り当てられる照明装置。
【請求項２】
前記単位領域は、外形寸法が０．０５ｍｍ〜０．５ｍｍの範囲とされる請求項１記載の照明装置。
【請求項３】
前記光反射部は、前記光源周辺領域に含まれて前記単位光源領域の中心からの距離が最大となる外縁領域における面積比率が０％〜２０％の範囲とされる請求項１または請求項２記載の照明装置。
【請求項４】
前記光反射部は、前記単位光源領域のうち前記光源重畳領域における面積比率が１００％とされる請求項１から請求項３のいずれか１項に記載の照明装置。
【請求項５】
前記単位領域は、外形寸法が一定とされる請求項１から請求項４のいずれか１項に記載の照明装置。
【請求項６】
前記単位領域は、正六角形とされる請求項５記載の照明装置。
【請求項７】
前記光反射部及び前記光透過部は、複数の前記単位領域に対してランダムに割り当てられている請求項１から請求項６のいずれか１項に記載の照明装置。
【請求項８】
前記単位光源領域の中心からの距離をｄとし、前記単位光源領域の中心からの最大距離をｄｅとし、前記単位光源領域の中心に位置する前記単位領域における面積比率をＳｃとし、前記単位光源領域の中心からの距離が最大となる前記単位領域における面積比率をＳｅとしたとき、
前記光反射部は、複数の前記単位領域における面積比率Ｓが次の式（１）となる分布を有する請求項１から請求項７のいずれか１項に記載の照明装置。
Ｓ＝（Ｓｅ−１００）・ｄ／ｄｅ＋Ｓｃ          （１）
【請求項９】
前記単位光源領域の中心からの距離をｄとし、前記単位光源領域の中心からの最大距離をｄｅとし、前記単位光源領域の中心に位置する前記単位領域における面積比率をＳｃとし、前記単位光源領域の中心からの距離が最大となる前記単位領域における面積比率をＳｅとしたとき、
前記光反射部は、複数の前記単位領域における面積比率Ｓが次の式（２）となる分布を有する請求項１から請求項７のいずれか１項に記載の照明装置。
Ｓ＝（Ｓｅ−１００）・4ｄ２／ｄｅ２＋Ｓｃ          （２）
【請求項１０】
前記単位光源領域の中心からの距離をｄとし、前記単位光源領域の中心からの最大距離をｄｅとし、前記単位光源領域の中心に位置する前記単位領域における面積比率をＳｃとし、前記単位光源領域の中心からの距離が最大となる前記単位領域における面積比率をＳｅとしたとき、
前記光反射部は、複数の前記単位領域における面積比率Ｓが次の式（３）となる分布を有する請求項１から請求項７のいずれか１項に記載の照明装置。
Ｓ＝Ｓｃ・exp（ｄ２・log（Ｓｅ／１００）／ｄｅ２）          （３）
【請求項１１】
前記反射板は、光を透過する透過基板を有しており、
前記光反射部は、前記透過基板の板面に部分的に形成されるのに対し、前記光透過部は、前記透過基板のうちの前記光反射部の非形成箇所からなる請求項１から請求項１０のいずれか１項に記載の照明装置。
【請求項１２】
前記反射板は、前記透過基板が光を拡散させる拡散材を含有する請求項１１記載の照明装置。
【請求項１３】
前記反射板は、光を反射する反射基板を有しており、
前記光透過部は、前記反射基板を部分的に開口させて形成されるのに対し、前記光反射部は、前記反射基板のうちの前記光透過部の非形成箇所からなる請求項１から請求項１０のいずれか１項に記載の照明装置。
【請求項１４】
請求項１から請求項１３のいずれか１項に記載の照明装置と、
前記照明装置から照射される光を利用して画像を表示する表示パネルと、を備える表示装置。
【発明の詳細な説明】
【技術分野】
【０００１】
本発明は、照明装置及び表示装置に関する。
【背景技術】
【０００２】
従来の液晶表示装置などに用いられるバックライト装置の一例として下記特許文献１に記載されたものが知られている。この特許文献１に記載されたバックライト装置は、複数の冷陰極管と、前記複数の冷陰極管の投光方向に、全光線透過率が６２乃至７１％で、かつ、曇価が９０乃至９９％である、調光用ドットパターンが印刷された拡散板とを備え、前記調光用ドットパターンの各ドットは、前記冷陰極管の間隔を２４乃至４８分割した位置に配置され、さらに、前記各ドットの径は、前記冷陰極管からの距離に応じて０．１６乃至０．７ｍｍである。
【先行技術文献】
【特許文献】
【０００３】
【特許文献１】特開２００５−１１７０２３号公報
【発明の概要】
【発明が解決しようとする課題】
【０００４】
上記した特許文献１に記載されたバックライト装置は、拡散板の板面における調光用ドットパターンの分布が規則的で点対称状となっている。このため、冷陰極管から発せられた光の輝度分布は、点対称状の調光用ドットパターンによって単純なものとなっており、明暗のムラ（輝度ムラ）が視認され易い傾向にあった。特に、薄型化のために光源と拡散板との間の距離を縮めたり拡散板を薄くしたりする場合には、輝度ムラが視認され易くなっていた。
【０００５】
本発明は上記のような事情に基づいて完成されたものであって、輝度ムラの発生を抑制することを目的とする。
【課題を解決するための手段】
【０００６】
本発明の照明装置は、光源と、前記光源から発せられた光の少なくとも一部を透過する反射板と、を備える照明装置であって、前記反射板は、前記光源と間隔を空けて配されてその板面に前記光源と重畳する光源重畳領域と前記光源重畳領域の周りに配される光源周辺領域とからなる単位光源領域と、前記単位光源領域において前記光源周辺領域よりも前記光源重畳領域の方が面積比率が高くなるよう設けられて光を反射する光反射部と、前記単位光源領域において前記光源重畳領域よりも前記光源周辺領域の方が面積比率が高くなるよう設けられて光を透過する光透過部と、を有しており、前記光反射部及び前記光透過部は、前記単位光源領域を平面充填するよう並ぶ複数の単位領域に区分したとき、前記単位光源領域における分布が非点対称状となるよう複数の前記単位領域に割り当てられる。
【０００７】
このようにすれば、光源から発せられた光は、反射板の光透過部を直接透過するか、若しくは光反射部により反射されてから光透過部を透過することで外部に出射する。反射板の単位光源領域は、光源重畳領域における光反射部の面積比率が高く且つ光透過部の面積比率が低くなっているのに対し、光源周辺領域における光反射部の面積比率が低く且つ光透過部の面積比率が高くなっているから、光源重畳領域からの出光が抑制されるとともに光源周辺領域からの出光が促進され、もって出射光量の均一化が図られる。
【０００８】
ここで、単位光源領域は、平面充填するよう並ぶ複数の単位領域に区分されている。そして、光反射部及び光透過部は、単位光源領域における分布が非点対称状となるよう複数の単位領域に割り当てられているので、単位光源領域の出射光の輝度分布が非点対称状となる。従って、仮に単位光源領域における光反射部及び光透過部の分布が点対称状とされる場合に比べると、出射光の輝度分布が複雑化して全体としてなだらかになるので、輝度ムラが視認され難くなる。
【発明の効果】
【０００９】
本発明によれば、輝度ムラの発生を抑制することができる。
【図面の簡単な説明】
【００１０】
【図１】本発明の実施形態１に係る液晶表示装置の断面図
【図２】液晶表示装置に備わるバックライト装置を構成するＬＥＤ基板におけるＬＥＤの平面配置を示す平面図
【図３】反射板における単位ＬＥＤ領域の平面図
【図４】単位ＬＥＤ領域に含まれる外縁領域の平面図
【図５】外縁領域を構成する複数の単位領域と設定された乱数値との関係を表す模式図
【図６】式（１）〜式（３）に基づく光反射部の面積比率に係る分布を表すグラフ
【図７】比較実験１において、比較例及び実施例に係るバックライト装置を表側から撮影した写真を示す表
【図８】比較実験２において、比較例１〜３及び実施例１〜３に係るバックライト装置についてＬＥＤと反射板との間の距離を変化させたときの輝度ムラの判定結果を示す表
【図９】本発明の実施形態２に係る外縁領域の平面図
【図１０】本発明の実施形態３に係る液晶表示装置の断面図
【図１１】本発明の実施形態４に係る液晶表示装置の断面図
【図１２】本発明の他の実施形態（１）に係る反射板における単位ＬＥＤ領域の平面図
【発明を実施するための形態】
【００１１】
＜実施形態１＞
本発明の実施形態１を図１から図８によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、図１の上側を表側とし、同図下側を裏側とする。
【００１２】
液晶表示装置１０は、図１に示すように、画像を表示可能な液晶パネル（表示パネル）１１と、液晶パネル１１に対して裏側（入光側）に配されて液晶パネル１１に表示のための光を照射する外部光源であるバックライト装置（照明装置）１２と、を少なくとも備える。このうち、液晶パネル１１は、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタやカラーフィルタ間を仕切るブラックマトリクスの他に配向膜等が設けられている。なお、両ガラス基板の外側にはそれぞれ偏光板が配されている。
【００１３】
続いて、バックライト装置１２について詳しく説明する。バックライト装置１２は、図１に示すように、光源であるＬＥＤ１３と、ＬＥＤ１３が実装されたＬＥＤ基板（光源基板）１４と、ＬＥＤ基板１４の表面を覆うよう配されて光を反射する反射シート１５と、ＬＥＤ１３と間隔を空けて対向状に配される光学部材１６と、を備える。このように、本実施形態に係るバックライト装置１２は、液晶パネル１１及び光学部材１６の直下位置にＬＥＤ１３が配されており、いわゆる直下型とされる。なお、バックライト装置１２は、光学部材１６の外周端部を保持する枠状のフレーム（図示せず）を備えるのが好ましい。以下では、バックライト装置１２の各構成部品について詳しく説明する。
【００１４】
ＬＥＤ１３は、図１及び図２に示すように、ＬＥＤ基板１４の板面内においてＸ軸方向及びＹ軸方向に沿って複数ずつ間隔を空けてマトリクス状（行列状）に並んで配されている。ＬＥＤ１３は、ＬＥＤ基板１４における表側の板面に表面実装されるとともにその発光面１３ＡがＬＥＤ基板１４側とは反対側（表側）を向いた、いわゆる頂面発光型とされている。ＬＥＤ１３は、発光面１３Ａが光学部材１６の板面と対向する位置関係にある。ＬＥＤ１３は、ＬＥＤ基板１４の板面に固着される基板部上に半導体発光素子であるＬＥＤチップ（ＬＥＤ素子）を封止材により封止した構成とされる。ＬＥＤ１３は、ＬＥＤチップが例えば青色光を単色発光するものとされ、封止材に蛍光体（黄色蛍光体、緑色蛍光体、赤色蛍光体など）が分散配合されることで全体として白色光を発する。
【００１５】
ＬＥＤ基板１４は、図１に示すように、反射シート１５や光学部材１６の板面に並行する板面を有する板状をなしている。ＬＥＤ基板１４は、表側の板面が反射シート１５及び光学部材１６の板面と対向状をなしており、ここが上記したＬＥＤ１３が表面実装される実装面１４Ａとされる。ＬＥＤ基板１４の実装面１４Ａには、銅箔などの金属膜からなる配線パターン（図示せず）が形成され、その配線パターンによって各ＬＥＤ１３への給電がなされる。
【００１６】
反射シート１５は、合成樹脂製とされ、表面が光の反射性に優れた白色を呈している。反射シート１５は、図１に示すように、ＬＥＤ基板１４の実装面１４Ａをほぼ全域にわたって表側から覆う形で積層されており、各ＬＥＤ１３と重畳する位置に各ＬＥＤ１３を個別に通すためのＬＥＤ挿通孔１５Ａが開口形成されている。ＬＥＤ挿通孔１５Ａは、ＬＥＤ基板１４における各ＬＥＤ１３と整合するようＸ軸方向及びＹ軸方向に沿って複数ずつつ間隔を空けてマトリクス状に並んで配されている。
【００１７】
光学部材１６は、図１に示すように、液晶パネル１１やＬＥＤ基板１４などの板面に並行する板面を有する。光学部材１６は、Ｚ軸方向について液晶パネル１１とＬＥＤ１３との間に介在する配置とされており、ＬＥＤ１３から発せられた光に所定の光学作用を付与しつつ液晶パネル１１に向けて出射させる機能を有する。光学部材１６は、ＬＥＤ基板１４の実装面１４Ａと対向状をなす裏側の板面が、光が入射される入光面とされるのに対し、液晶パネル１１と対向状をなす表側の板面が、光が出射される出光面とされる。光学部材１６には、互いに積層される４枚が含まれており、裏側から順に反射板１７、拡散板１８、第１レンズシート１９、第２レンズシート２０とされる。このうちの拡散板１８は、ほぼ透明な合成樹脂製の基材中に光を拡散させるための拡散粒子を多数分散配合した構成とされている。２枚のレンズシート１９，２０は、ほぼ透明な合成樹脂製の基材における板面にＸ軸方向またはＹ軸方向に沿って延在する単位レンズを、その延在方向と直交する方向（Ｙ軸方向またはＸ軸方向）について多数並べて設けた構成とされており、入射光に対して単位レンズの並び方向について選択的に集光作用を付与するものである。
【００１８】
反射板１７について詳しく説明する。反射板１７は、図１に示すように、ＬＥＤ１３に対して表側に間隔を空けて対向状に配される透過基板２１を有しており、その板面に光を反射する光反射部２２が設けられている。なお、図１では、光反射部２２（光透過部２３）の分布が概略的に表されている。透過基板２１は、ほぼ透明な合成樹脂製（例えばアクリル樹脂製）とされ、光（可視光線）を透過するものである。従って、透過基板２１のうちの光反射部２２が非形成とされる箇所が、光を透過する光透過部２３となっている。透過基板２１は、その板面内に重畳するよう配された複数のＬＥＤ１３に対して個別に対応付けられた複数の単位ＬＥＤ領域２４に区分されている。単位ＬＥＤ領域２４は、図３に示すように、平面に視てほぼ正方形状をなしており、その一辺の長さがＬＥＤ１３の外形寸法よりも大きくて例えば１３．５ｍｍ程度とされる。単位ＬＥＤ領域２４は、ＬＥＤ１３と平面に視て重畳するＬＥＤ重畳領域（光源重畳領域）２５と、ＬＥＤ１３とは平面に視て非重畳とされてＬＥＤ重畳領域２５の周りに配されるＬＥＤ周辺領域（光源周辺領域）２６と、から構成される。
【００１９】
光反射部２２は、光反射率に優れた白色を呈するインク（白色塗料）からなる。光反射部２２は、透過基板２１における裏側の板面（入光面）に対して例えばスクリーン印刷、インクジェット装置やディスペンサ装置を用いた印刷、グラビア印刷などにより印刷形成される。それ以外にも、光反射部２２の材料を金属材料（アルミニウムや銀など）とし、蒸着法（マスク蒸着）により金属薄膜を透過基板２１の板面に蒸着することで光反射部２２を形成することも可能である。光反射部２２は、図３に示すように、単位ＬＥＤ領域２４においてその中心Ｏ（ＬＥＤ１３）からの距離に応じて分布が変化するようパターニングされている。すなわち、光反射部２２は、単位ＬＥＤ領域２４においてＬＥＤ重畳領域２５では面積比率が相対的に高くなり、ＬＥＤ周辺領域２６では面積比率が相対的に低くなるようパターニングされている。従って、透過基板２１における光反射部２２の非形成箇所である光透過部２３は、単位ＬＥＤ領域２４においてＬＥＤ重畳領域２５では面積比率が相対的に低くなり、ＬＥＤ周辺領域２６では面積比率が相対的に高くなるよう、光反射部２２とは逆相関の関係となる分布とされる。このような構成によれば、ＬＥＤ１３から発せられた光が反射板１７に到達すると、ＬＥＤ重畳領域２５では面積比率が高い光反射部２２によって多くの光が裏側（ＬＥＤ１３側）へ向けて反射されるのに対し、ＬＥＤ周辺領域２６では面積比率が高い光透過部２３によって表側（出光側）へ向けて透過される。光反射部２２による反射光は、反射シート１５により反射されるなどして再び反射板１７に到達するが、その過程で一部がＬＥＤ周辺領域２６へ向かって光透過部２３を透過する。以上のように、本来的に光量が多いＬＥＤ重畳領域２５では出光が抑制されるとともに本来的に光量が少ないＬＥＤ周辺領域２６では出光が促進され、もって出射光量の均一化が図られる。
【００２０】
ここで、単位ＬＥＤ領域２４は、図３及び図４に示すように、平面充填するよう並ぶ複数の単位領域２４Ａに区分されている。図４は、単位ＬＥＤ領域２４のうち中心Ｏからの距離が最大となり中心Ｏから最も遠い部分である外縁領域２７（図３に示す右下角部）を示す平面図である。この外縁領域２７は、複数の単位領域２４Ａからなる。そして、光反射部２２及び光透過部２３は、単位ＬＥＤ領域２４における分布が非点対称状となるよう複数の単位領域２４Ａに割り当てられている。このように単位ＬＥＤ領域２４において非点対称状に分布する光反射部２２及び光透過部２３により、単位ＬＥＤ領域２４の出射光の輝度分布は、非点対称状となる。ここで、従来では単位ＬＥＤ領域における光反射部及び光透過部の分布が点対称状とされるため、単位ＬＥＤ領域の出射光の輝度分布も点対称状となって明暗の境界線が同心円状になり易くて輝度ムラが視認され易くなっていた。それに比べると、単位ＬＥＤ領域２４の出射光の輝度分布が非点対称状となれば、明暗の境界が非連続的に分散されるので、出射光の輝度分布が複雑化して全体としてなだらかになる。以上により、輝度ムラが視認され難くなるのである。
【００２１】
詳しくは、光反射部２２は、図３に示すように、単位ＬＥＤ領域２４を構成するＬＥＤ重畳領域２５における面積比率がほぼ１００％とされている。つまり、ＬＥＤ重畳領域２５は、全域にわたって光反射部２２によって被覆されており、光透過部２３が配置されることがなくてその面積比率がほぼ０％とされる。従って、ＬＥＤ１３から発せられてＬＥＤ重畳領域２５へ向かう光は、そのほぼ全てが光反射部２２によって裏側に反射され、ＬＥＤ重畳領域２５を直接透過することが避けられる。これにより、ＬＥＤ１３が使用者に直接視認されるのが避けられ、もって輝度ムラをより好適に生じ難くすることができる。一方、光反射部２２は、図４に示すように、単位ＬＥＤ領域２４を構成するＬＥＤ周辺領域２６のうちの外縁領域２７における面積比率が０％〜２０％の範囲とされており、本実施形態では例えば１０％とされる。このようにすれば、光反射部２２が暗部として視認され難くなるので、輝度ムラが生じ難くなる。
【００２２】
本実施形態では、単位領域２４Ａは、図４に示すように、平面形状がほぼ正方形とされており、その外形寸法が一定とされている。透過基板２１の板面に光反射部２２を形成する際に、光反射部２２の材料をインクとしてそのインクを透過基板２１の板面塗布する、印刷法を用いた場合には、透過基板２１の板面に塗布されたインクは等方的に広がるので、光反射部２２は外形寸法が一定になる。つまり、単位領域２４Ａの外形寸法を一定にすることで、単位領域２４Ａにインクを用いて光反射部２２を容易に割り当てることが可能となり、生産性に優れる。光反射部２２及び光透過部２３が割り当てられる単位領域２４Ａは、その外形寸法が０．０５ｍｍ〜０．５ｍｍの範囲とされるのが好ましく、本実施形態では例えば０．１ｍｍ程度とされている。従って、単位領域２４Ａは、単位ＬＥＤ領域２４においてＸ軸方向及びＹ軸方向に沿って１３５個ずつ、合計１８２２５個がマトリクス状に並んでいて単位ＬＥＤ領域２４を平面充填している。ここで、仮に単位領域の外形寸法が０．０５ｍｍよりも小さくなると、例えば印刷法によって単位領域に光反射部２２及び光透過部２３を割り当てるのが困難となる。また、仮に単位領域の外形寸法が０．５ｍｍを超えると、単位領域に割り当てた光反射部２２や光透過部２３が過大となって局所的な暗部や明部として視認され易くなる傾向にある。その点、単位領域２４Ａの外形寸法が０．０５ｍｍ〜０．５ｍｍの範囲とされていれば、例えば印刷法を用いて光反射部２２を形成した場合に単位領域２４Ａに光反射部２２及び光透過部２３を容易に割り当てることができるとともに、単位領域２４Ａに割り当てた光反射部２２や光透過部２３が局所的な暗部や明部として視認され難くなる。
【００２３】
光反射部２２及び光透過部２３は、複数の単位領域２４Ａに対してランダムに割り当てられている。具体的には、例えば、単位ＬＥＤ領域２４を構成する複数の単位領域２４Ａには、図５に示すように、個別に所定の乱数値が設定される。図５は、外縁領域２７を構成する各単位領域２４Ａと設定された乱数値との関係を表す模式図である。この乱数値は、１〜１００までの整数であり、各単位領域２４Ａに対してランダムに設定される。なお、同じ乱数値が異なる単位領域２４Ａに対して重複して設定されても構わない。そして、外縁領域２７における光反射部２２の面積比率は、既述した通り１０％であるから、その面積比率以下の値となる乱数値、つまり１〜１０までの乱数値が設定された単位領域２４Ａに光反射部２２を割り当てるようにし、上記面積比率を超える値となる乱数値、つまり１１〜１００までの乱数値が設定された単位領域２４Ａに光透過部２３を割り当てるようにする。これにより、各単位領域２４Ａは、約１０％の確率でもって光反射部２２が割り当てられ、約９０％の確率でもって光透過部２３が割り当てられることになる。ＬＥＤ周辺領域２６のうち、上記した外縁領域２７以外の領域については、光反射部２２の面積比率が上記した１０％とは異なる値となる場合があるが、その場合も光反射部２２の面積比率以下の値となる乱数値が設定された単位領域２４Ａに光反射部２２を、同面積比率を超える値となる乱数値が設定された単位領域２４Ａに光透過部２３を、それぞれ割り当てるようにすればよい。なお、ＬＥＤ重畳領域２５に関しては、光反射部２２の面積比率が１００％であるから、乱数値が１〜１００に設定された全ての単位領域２４Ａに光反射部２２を割り当てることになる。このように、単位ＬＥＤ領域２４に含まれる複数の単位領域２４Ａに光反射部２２及び光透過部２３がランダムに割り当てられることで、光反射部２２や光透過部２３が局所的な暗部や明部としてより視認され難くなる。
【００２４】
ここで、単位ＬＥＤ領域２４に含まれる複数の単位領域２４Ａに対して割り当てられる光反射部２２及び光透過部２３の面積比率をどのような分布とするか、について説明する。すなわち、単位ＬＥＤ領域２４のうち、ＬＥＤ重畳領域２５に含まれる単位領域２４Ａに関しては光反射部２２の面積比率が１００％であるが、ＬＥＤ周辺領域２６に含まれる単位領域２４Ａに関しては光反射部２２の面積比率が、中心Ｏからの距離が増加するのに従って低下するような分布とされる。逆に、ＬＥＤ周辺領域２６に含まれる単位領域２４Ａにおける光透過部２３の面積比率は、中心Ｏからの距離が増加するのに従って高くなるような分布とされる。より具体的には、光反射部２２の面積比率は、次に示される式（１）〜式（３）のいずれかに基づいて決定されるのが好ましい。式（１）〜式（３）では、単位ＬＥＤ領域２４の中心Ｏからの距離をｄとし、単位ＬＥＤ領域２４の中心Ｏからの最大距離をｄｅとし、単位ＬＥＤ領域２４の中心Ｏに位置する単位領域２４Ａにおける面積比率をＳｃとし、単位ＬＥＤ領域２４の中心Ｏからの距離が最大となる単位領域２４Ａにおける面積比率をＳｅとし、複数の単位領域２４Ａにおける光反射部２２の面積比率をＳとしている。本実施形態では、単位ＬＥＤ領域２４が１辺１３．５ｍｍの正方形であるから、中心Ｏからの最大距離ｄｅは、例えば９．４８ｍｍとなる。本実施形態では、ＬＥＤ重畳領域２５における光反射部２２の面積比率が１００％であるから、単位ＬＥＤ領域２４の中心Ｏに位置する単位領域２４Ａにおける面積比率Ｓｃが１００％となる。本実施形態では、ＬＥＤ周辺領域２６に含まれる外縁領域２７の面積比率が１０％であるから、単位ＬＥＤ領域２４の中心Ｏからの距離が最大となる単位領域２４Ａにおける面積比率Ｓｅが１０％となる。以上により、単位ＬＥＤ領域２４の中心Ｏからの距離ｄに位置する単位領域２４Ａにおける光反射部２２の面積比率が、式（１）〜式（３）に基づいて一義的に定まることになる。これら式（１）〜式（３）に基づく光反射部２２の面積比率Ｓに係る分布を図６のグラフに示す。図６は、縦軸が光反射部２２の面積比率Ｓであり、横軸が単位ＬＥＤ領域２４の中心Ｏからの距離ｄである。式（１）によれば、光反射部２２の面積比率Ｓは、単位ＬＥＤ領域２４の中心Ｏからの距離ｄの変化に伴って直線的に変化する。式（２）によれば、光反射部２２の面積比率Ｓは、単位ＬＥＤ領域２４の中心Ｏからの距離ｄの変化に伴って曲線的に変化し、その曲線は二次曲線となる。式（３）によれば、光反射部２２の面積比率Ｓは、単位ＬＥＤ領域２４の中心Ｏからの距離ｄの変化に伴って曲線的に変化し、その曲線はガウス曲線となる。
【００２５】
Ｓ＝（Ｓｅ−１００）・ｄ／ｄｅ＋Ｓｃ          （１）
【００２６】
Ｓ＝（Ｓｅ−１００）・ｄ２／ｄｅ２＋Ｓｃ          （２）
【００２７】
Ｓ＝Ｓｃ・exp（ｄ２・log（Ｓｅ／１００）／ｄｅ２）          （３）
【００２８】
次に、単位ＬＥＤ領域２４における光反射部２２及び光透過部２３の分布に係る対称性と輝度分布との関係性について知見を得るため、下記の比較実験１を行った。比較実験１では、単位ＬＥＤ領域２４における光反射部２２及び光透過部２３の分布を、点対称状とした場合を比較例とし、非点対称状とした場合を実施例としている。実施例に係るバックライト装置１２は、本段落以前に説明した通りであるのに対し、比較例に係るバックライト装置は、光反射部２２及び光透過部２３の分布以外は本段落以前に説明したものと同様である。これら比較例及び実施例に係る各バックライト装置１２のＬＥＤ１３を点灯して光を出射させた状態で表側から写真を撮影し、その写真を図７の表に示した。図７における左側の写真が比較例であり、同図右側の写真が実施例である。これらの写真には、単位ＬＥＤ領域２４が９個ずつ収められており、隣り合う単位ＬＥＤ領域２４の境界線が二点鎖線により示されている。これらの写真では、光量が多くて輝度が高くなるほどドット濃度が高く、光量が少なくて輝度が低くなるほどドット濃度が低くなっている。実験結果について説明する。図７によれば、比較例は、各単位ＬＥＤ領域の出射光に係る輝度分布が高い対称性を維持しており、明暗の境界線が概ね同心円状になっていることが分かる。この同心円状の境界線に起因して明暗の輝度ムラが視認され易くなっている。これに対し、実施例は、単位ＬＥＤ領域２４の出射光に係る輝度分布の対称性が崩されており、明暗の境界が非連続的に分散されていることが分かる。この非連続的な境界により出射光の輝度分布が複雑化して全体としてなだらかになる。従って、実施例は比較例よりも輝度ムラが視認され難くなっている、と言える。
【００２９】
続いて、外縁領域２７における光反射部２２の面積比率Ｓｅと輝度ムラの発現との関係について知見を得るべく、下記の比較実験２を行った。比較実験２では、外縁領域２７における光反射部２２の面積比率Ｓｅを０％とした場合を実施例１とし、同面積比率Ｓｅを１０％とした場合を実施例２とし、同面積比率Ｓｅを２０％とした場合を実施例２とし、同面積比率Ｓｅを３０％とした場合を比較例１とし、同面積比率Ｓｅを４０％とした場合を比較例２とし、同面積比率Ｓｅを５０％とした場合を比較例３としている。実施例２に係るバックライト装置１２は、本段落以前に説明した通りであるのに対し、比較例１〜３及び実施例１，３に係るバックライト装置は、外縁領域２７における光反射部２２の面積比率Ｓｅ以外は本段落以前に説明したものと同様である。そして、これら比較例１〜３及び実施例１〜３に係るバックライト装置において、ＬＥＤ１３と反射板１７との間の距離ＯＤを２．５ｍｍから５ｍｍまで０．５ｍｍ間隔で変化させるとともに、出射光に輝度ムラが生じているか否かを判定するようにし、その結果を図８の表に示す。輝度ムラの判定は、検査員が目視により行った。図８において「○」は輝度ムラ無しを、「×」は輝度ムラ有りを、それぞれ意味する。実験結果について説明する。図８によれば、比較例１〜３は、いずれも距離ＯＤが３．５ｍｍ以下では輝度ムラが視認された。詳しくは、比較例１，２は、距離ＯＤが４ｍｍ以上であれば輝度ムラが視認されず、比較例３は、距離ＯＤが４．５ｍｍ以上であれば輝度ムラが視認されなかった。これに対し、実施例１〜３は、いずれも距離ＯＤが３．５ｍｍでは輝度ムラが視認されなかった。詳しくは、実施例１は、距離ＯＤが３ｍｍ〜４ｍｍの範囲では輝度ムラが視認されず、実施例２は、距離ＯＤが３．５ｍｍ〜４．５の範囲では輝度ムラが視認されず、実施例３は、距離ＯＤが３．５ｍｍ以上であれば輝度ムラが視認されなかった。このように、実施例１〜３は、比較例１〜３に比べると、距離ＯＤが相対的に小さくても輝度ムラが視認され難い傾向にある。従って、実施例１〜３は、輝度ムラを抑制しつつバックライト装置１２を薄型化する上で好適である、と言える。
【００３０】
以上説明したように本実施形態のバックライト装置（照明装置）１２は、ＬＥＤ（光源）１３と、ＬＥＤ１３から発せられた光の少なくとも一部を透過する反射板１７と、を備えるバックライト装置１２であって、反射板１７は、ＬＥＤ１３と間隔を空けて配されてその板面にＬＥＤ１３と重畳するＬＥＤ重畳領域（光源重畳領域）２５とＬＥＤ重畳領域２５の周りに配されるＬＥＤ周辺領域（光源周辺領域）２６とからなる単位ＬＥＤ領域（単位光源領域）２４と、単位ＬＥＤ領域２４においてＬＥＤ周辺領域２６よりもＬＥＤ重畳領域２５の方が面積比率が高くなるよう設けられて光を反射する光反射部２２と、単位ＬＥＤ領域２４においてＬＥＤ重畳領域２５よりもＬＥＤ周辺領域２６の方が面積比率が高くなるよう設けられて光を透過する光透過部２３と、を有しており、光反射部２２及び光透過部２３は、単位ＬＥＤ領域２４を平面充填するよう並ぶ複数の単位領域２４Ａに区分したとき、単位ＬＥＤ領域２４における分布が非点対称状となるよう複数の単位領域２４Ａに割り当てられる。
【００３１】
このようにすれば、ＬＥＤ１３から発せられた光は、反射板１７の光透過部２３を直接透過するか、若しくは光反射部２２により反射されてから光透過部２３を透過することで外部に出射する。反射板１７の単位ＬＥＤ領域２４は、ＬＥＤ重畳領域２５における光反射部２２の面積比率が高く且つ光透過部２３の面積比率が低くなっているのに対し、ＬＥＤ周辺領域２６における光反射部２２の面積比率が低く且つ光透過部２３の面積比率が高くなっているから、ＬＥＤ重畳領域２５からの出光が抑制されるとともにＬＥＤ周辺領域２６からの出光が促進され、もって出射光量の均一化が図られる。
【００３２】
ここで、単位ＬＥＤ領域２４は、平面充填するよう並ぶ複数の単位領域２４Ａに区分されている。そして、光反射部２２及び光透過部２３は、単位ＬＥＤ領域２４における分布が非点対称状となるよう複数の単位領域２４Ａに割り当てられているので、単位ＬＥＤ領域２４の出射光の輝度分布が非点対称状となる。従って、仮に単位ＬＥＤ領域２４における光反射部及び光透過部の分布が点対称状とされる場合に比べると、出射光の輝度分布が複雑化して全体としてなだらかになるので、輝度ムラが視認され難くなる。
【００３３】
また、単位領域２４Ａは、外形寸法が０．０５ｍｍ〜０．５ｍｍの範囲とされる。仮に単位領域の外形寸法が０．０５ｍｍよりも小さくなると、例えば印刷法によって単位領域に光反射部２２及び光透過部２３を割り当てるのが困難となる。また、仮に単位領域の外形寸法が０．５ｍｍを超えると、単位領域に割り当てた光反射部２２や光透過部２３が局所的な暗部や明部として視認され易くなる傾向にある。その点、単位領域２４Ａの外形寸法を０．０５ｍｍ〜０．５ｍｍの範囲とすれば、例えば印刷法を用いたときに単位領域２４Ａに光反射部２２及び光透過部２３を容易に割り当てることができるとともに、単位領域２４Ａに割り当てた光反射部２２や光透過部２３が局所的な暗部や明部として視認され難くなる。
【００３４】
また、光反射部２２は、ＬＥＤ周辺領域２６に含まれて単位ＬＥＤ領域２４の中心Ｏからの距離が最大となる外縁領域２７における面積比率が０％〜２０％の範囲とされる。仮に外縁領域２７における光反射部の面積比率が２０％を超えると、光反射部２２が暗部として視認され易くなるため、輝度ムラが生じ易くなる傾向にある。その点、外縁領域２７における光反射部２２の面積比率を０％〜２０％の範囲とすることで、光反射部２２が暗部として視認され難くなり、もって輝度ムラが生じ難くなる。これにより、当該バックライト装置１２の薄型化を図る上で好適となる。
【００３５】
また、光反射部２２は、単位ＬＥＤ領域２４のうちＬＥＤ重畳領域２５における面積比率が１００％とされる。このようにすれば、光透過部２３がＬＥＤ重畳領域２５に配置されることがないから、ＬＥＤ１３の光がＬＥＤ重畳領域２５を直接透過することが避けられ、もってＬＥＤ１３が使用者に直接視認されるのが避けられる。これにより、輝度ムラをより好適に生じ難くすることができる。
【００３６】
また、単位領域２４Ａは、外形寸法が一定とされる。単位領域２４Ａに光反射部２２を割り当てるのに際して、例えば光反射部２２の材料をインクとし、そのインクを塗布するようにした場合には、塗布されたインクは等方的に広がり、光反射部２２は外形寸法が一定になる。つまり、単位領域２４Ａの外形寸法を一定にすることで、単位領域２４Ａにインクを用いて光反射部２２を容易に割り当てることが可能となり、生産性に優れる。
【００３７】
また、光反射部２２及び光透過部２３は、複数の単位領域２４Ａに対してランダムに割り当てられている。このようにすれば、複数の単位領域２４Ａに割り当てられた光反射部２２や光透過部２３が局所的な暗部や明部としてより視認され難くなる。複数の単位領域２４Ａに対して光反射部２２及び光透過部２３をランダムに割り当てるには、例えば、各単位領域２４Ａに乱数値を設定するようにし、各単位領域２４Ａの乱数値が、設定された光反射部２２の面積比率以下の値であれば光反射部２２を割り当てるようにし、光反射部２２の面積比率を超える値であれば光透過部２３を割り当てるようにすればよい。
【００３８】
また、単位ＬＥＤ領域２４の中心Ｏからの距離をｄとし、単位ＬＥＤ領域２４の中心Ｏからの最大距離をｄｅとし、単位ＬＥＤ領域２４の中心Ｏに位置する単位領域２４Ａにおける面積比率をＳｃとし、単位ＬＥＤ領域２４の中心Ｏからの距離が最大となる単位領域２４Ａにおける面積比率をＳｅとしたとき、光反射部２２は、複数の単位領域２４Ａにおける面積比率Ｓが既述した式（１）となる分布を有する。このようにすれば、単位ＬＥＤ領域２４の中心Ｏからの最大距離ｄｅと、単位ＬＥＤ領域２４の中心Ｏに位置する単位領域２４Ａにおける面積比率Ｓｃと、単位ＬＥＤ領域２４の中心Ｏからの距離が最大となる単位領域２４Ａにおける面積比率Ｓｅと、の値をそれぞれ設定することで、単位ＬＥＤ領域２４の中心Ｏからの距離ｄに位置する単位領域２４Ａにおける光反射部２２の面積比率が一義的に定まる。これにより、単位ＬＥＤ領域２４の中心Ｏからの距離ｄの変化に伴って各単位領域２４Ａにおける光反射部２２の面積比率Ｓが直線的に変化することになる。
【００３９】
また、単位ＬＥＤ領域２４の中心Ｏからの距離をｄとし、単位ＬＥＤ領域２４の中心Ｏからの最大距離をｄｅとし、単位ＬＥＤ領域２４の中心Ｏに位置する単位領域２４Ａにおける面積比率をＳｃとし、単位ＬＥＤ領域２４の中心Ｏからの距離が最大となる単位領域２４Ａにおける面積比率をＳｅとしたとき、光反射部２２は、複数の単位領域２４Ａにおける面積比率Ｓが既述した式（２）となる分布を有する。このようにすれば、単位ＬＥＤ領域２４の中心Ｏからの最大距離ｄｅと、単位ＬＥＤ領域２４の中心Ｏに位置する単位領域２４Ａにおける面積比率Ｓｃと、単位ＬＥＤ領域２４の中心Ｏからの距離が最大となる単位領域２４Ａにおける面積比率Ｓｅと、の値をそれぞれ設定することで、単位ＬＥＤ領域２４の中心Ｏからの距離ｄに位置する単位領域２４Ａにおける光反射部２２の面積比率が一義的に定まる。これにより、単位ＬＥＤ領域２４の中心Ｏからの距離ｄの変化に伴って各単位領域２４Ａにおける光反射部２２の面積比率Ｓが曲線的に変化し、その曲線は二次曲線となる。
【００４０】
また、単位ＬＥＤ領域２４の中心Ｏからの距離をｄとし、単位ＬＥＤ領域２４の中心Ｏからの最大距離をｄｅとし、単位ＬＥＤ領域２４の中心Ｏに位置する単位領域２４Ａにおける面積比率をＳｃとし、単位ＬＥＤ領域２４の中心Ｏからの距離が最大となる単位領域２４Ａにおける面積比率をＳｅとしたとき、光反射部２２は、複数の単位領域２４Ａにおける面積比率Ｓが既述した式（３）となる分布を有する。このようにすれば、単位ＬＥＤ領域２４の中心Ｏからの最大距離ｄｅと、単位ＬＥＤ領域２４の中心Ｏに位置する単位領域２４Ａにおける面積比率Ｓｃと、単位ＬＥＤ領域２４の中心Ｏからの距離が最大となる単位領域２４Ａにおける面積比率Ｓｅと、の値をそれぞれ設定することで、単位ＬＥＤ領域２４の中心Ｏからの距離ｄに位置する単位領域２４Ａにおける光反射部２２の面積比率が一義的に定まる。これにより、単位ＬＥＤ領域２４の中心Ｏからの距離ｄの変化に伴って各単位領域２４Ａにおける光反射部２２の面積比率Ｓが曲線的に変化し、その曲線はガウス曲線となる。
【００４１】
また、反射板１７は、光を透過する透過基板２１を有しており、光反射部２２は、透過基板２１の板面に部分的に形成されるのに対し、光透過部２３は、透過基板２１のうちの光反射部２２の非形成箇所からなる。このようにすれば、透過基板２１の板面にインクなどを塗布することで光反射部２２を部分的に形成することができ、透過基板２１のうちのインクなどが塗布されない箇所が光透過部２３となる。これにより、反射板１７の製造が容易となって製造コストを低廉化する上で好適となる。特に、光反射部２２及び光透過部２３の配列パターンが複雑な場合に有用である。
【００４２】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光が輝度ムラの抑制されたものとなっているから、優れた表示品位が得られる。
【００４３】
＜実施形態２＞
本発明の実施形態２を図９によって説明する。この実施形態２では、単位領域１２４Ａの平面形状を変更したものを示す。なお、上記した実施形態１と同様の構造、作用及び効果について重複する説明は省略する。
【００４４】
本実施形態に係る単位領域１２４Ａは、図９に示すように、平面形状が正六角形とされる。このようにすれば、複数の単位領域１２４Ａがハニカム状に配列されるので、それらに割り当てられる光反射部１２２や光透過部１２３が局所的な暗部や明部としてより視認され難くなる。
【００４５】
＜実施形態３＞
本発明の実施形態３を図１０によって説明する。この実施形態３では、上記した実施形態１から透過基板２２１の構成を変更したものを示す。なお、上記した実施形態１と同様の構造、作用及び効果について重複する説明は省略する。
【００４６】
本実施形態に係る反射板２１７は、図１０に示すように、透過基板２２１が光を拡散させる拡散材を含有する。このようにすれば、透過基板２２１に含有される拡散材によって光を拡散させることで、別途に光拡散機能を持つ拡散シート（拡散板）を用意する必要がなくなる。これにより、部品点数の削減や薄型化を図る上で好適となる。
【００４７】
＜実施形態４＞
本発明の実施形態４を図１１によって説明する。この実施形態４では、上記した実施形態１から反射板３１７の構成を変更したものを示す。なお、上記した実施形態１と同様の構造、作用及び効果について重複する説明は省略する。
【００４８】
本実施形態に係る反射板３１７は、図１１に示すように、合成樹脂製とされて光を反射する反射基板２８を有している。反射基板２８は、板面が光の反射性に優れた白色を呈している。そして、光透過部３２３は、反射基板２８を部分的に開口させて形成されるのに対し、光反射部３２２は、反射基板２８のうちの光透過部３２３（開口）の非形成箇所からなる。光透過部３２３である開口は、反射基板２８をＺ軸方向（板厚方向）に貫通する形で形成されている。このようにすれば、反射基板２８を部分的に開口させることで光透過部３２３を形成することができ、反射基板２８のうちの開口されない箇所が光反射部３２２となる。これにより、反射基板２８の開口からなる光透過部３２３の位置精度及び寸法精度が高いものとなるので、光反射部３２２及び光透過部３２３による光反射性能及び光透過性能を適切に発揮させることができる。
【００４９】
＜他の実施形態＞
本発明は上記記述及び図面によって説明した実施形態に限定されるものではなく、例えば次のような実施形態も本発明の技術的範囲に含まれる。
（１）上記した実施形態１の変形例として、単位ＬＥＤ領域２４−１は、図１２に示されるような形で光反射部２２−１及び光透過部２３−１が分布していてもよい。この場合でも、光反射部２２−１及び光透過部２３−１は、非点対称状の分布とされる。
（２）上記した（１）以外にも、単位ＬＥＤ領域における光反射部及び光透過部の具体的な分布は適宜に変更可能である。
（３）上記した実施形態１では、光反射部の面積比率を式（１）〜式（３）のいずれかに基づいて決定するようにした場合を示したが、式（１）〜式（３）以外の分布に係る数式を用いて光反射部の面積比率を決定することも可能である。
（４）上記した各実施形態以外にも、単位領域の具体的な平面形状は適宜に変更可能であり、例えば正三角形、平行四辺形、正五角形、正八角形などの正多角形であってもよい。それ以外にも、単位領域の平面形状は、非正三角形、長方形、台形などの非正多角形であってもよく、さらには円形や楕円形などの非多角形であっても構わない。
（５）上記した各実施形態以外にも、単位領域の具体的な外形寸法は適宜に変更可能である。その場合でも、単位領域の外形寸法は、０．０５ｍｍ〜０．５ｍｍの範囲とされるのが好ましいが、必ずしもその限りではない。例えば、印刷技術などの発展に伴って０．０５ｍｍよりも小さい光反射部を形成することが可能になった場合は、単位領域の外形寸法を０．０５ｍｍよりも小さくすることができる。
（６）上記した各実施形態では、単位領域の平面形状や外形寸法（大きさ）が１種類のみとされる場合を示したが、単位領域として平面形状や大きさが異なるものを複数種類設定することも可能である。
（７）上記した各実施形態では、ＬＥＤ重畳領域における光反射部の面積比率が１００％とされる場合を示したが、ＬＥＤ重畳領域における光反射部の面積比率が１００％を下回る値であっても構わない。
（８）上記した各実施形態では、外縁領域における光反射部の面積比率を１０％とした場合を示したが、その具体的な数値は適宜に変更可能である。その場合でも、外縁領域における光反射部の面積比率は、０％〜２０％の範囲とされるのが好ましいが、必ずしもその限りではない。
（９）上記した各実施形態以外にも、単位ＬＥＤ領域の具体的な平面形状や外形寸法などは適宜に変更可能である。同様に、ＬＥＤの具体的な平面形状や外形寸法（単位ＬＥＤ領域や単位領域に対する相対的な大きさ）なども適宜に変更可能である。
（１０）上記した各実施形態では、光反射部及び光透過部がランダムに配列された場合を示したが、光反射部及び光透過部が一定の規則性をもって配列されていても構わない。要は、単位ＬＥＤ領域における光反射部及び光透過部の分布が非点対称であればよい。
（１１）上記した実施形態１，３では、反射板を構成する透過基板における裏側の板面に光反射部を形成した場合を示したが、透過基板における表側の板面に光反射部を形成することも可能である。
（１２）上記した実施形態４では、反射板の反射基板を合成樹脂製とした場合を示したが、反射板の反射基板を金属製とすることも可能である。その場合には、反射基板にエッチング加工を施すことで高精細な開口（光透過部）を形成することができる。
（１３）上記した各実施形態以外にも、光学部材の枚数や積層順や種類などは適宜に変更可能である。例えば、反射板とＬＥＤとの間に他の光学部材が介在し、ＬＥＤに対して反射板が他の光学部材を介して間接的に対向配置される構成であっても構わない。
（１４）上記した各実施形態では、光源としてＬＥＤを用いた場合を示したが、光源としてＬＥＤ以外にも有機ＥＬなどを用いることも可能である。
（１５）上記した各実施形態では、表示パネルとして液晶パネルを例示したが、他の種類の表示パネル（ＭＥＭＳ（Micro Electro Mechanical Systems）表示パネルなど）にも本発明は適用可能である。
【符号の説明】
【００５０】
１０…液晶表示装置（表示装置）、１１…液晶パネル（表示パネル）、１２…バックライト装置（照明装置）、１３…ＬＥＤ（光源）、１７，２１７，３１７…反射板、２１，２２１…透過基板、２２，２２−１，１２２，３２２…光反射部、２３，２３−１，１２３，３２３…光透過部、２４，２４−１…単位ＬＥＤ領域（単位光源領域）、２４Ａ，１２４Ａ…単位領域、２５…ＬＥＤ重畳領域（光源重畳領域）、２６…ＬＥＤ周辺領域（光源周辺領域）、２７…外縁領域、２８…反射基板、Ｏ…中心
【図１】
2019129065.tif 000003
【図２】
2019129065.tif 000004
【図３】
2019129065.tif 000005
【図４】
2019129065.tif 000006
【図５】
2019129065.tif 000007
【図６】
2019129065.tif 000008
【図７】
2019129065.tif 000009
【図８】
2019129065.tif 000010
【図９】
2019129065.tif 000011
【図１０】
2019129065.tif 000012
【図１１】
2019129065.tif 000013
【図１２】
2019129065.tif 000014